(57)【特許請求の範囲】
【請求項１】
操作者が握持可能なグリップを形成するとともに、このグリップに対して回動操作する操作レバーを取り付けた左右一対の側板と、
帯状の台紙に複数枚のラベル片を仮着したラベルをロール状に巻いた状態でこの側板に保持する保持部と、
この保持部から繰り出される帯状の前記ラベルを移送する移送部と、
この移送部による前記ラベルの移送にともなって前記台紙から前記ラベル片を剥離する剥離部と、を有し、
この剥離部において前記台紙から剥離された前記ラベル片を被貼付け体に貼り付け可能とするとともに、この剥離部において前記ラベル片を剥離した前記台紙を前記側板の外部に排出する携帯式ラベル貼付け機であって、
前記台紙を前記側板の外方に案内可能な台紙排出ガイド板を前記移送部の下流側に設けているとともに、
この台紙排出ガイド板に沿って前記側板から排出されてくる前記台紙を前記操作レバーから遠ざけるように、前記操作レバーが前記台紙に接近する位置に弧状押当て面を有する台紙排出方向制御片を形成したことを特徴とする携帯式ラベル貼付け機。
【請求項２】
前記台紙排出方向制御片は、
前記台紙排出ガイド板に沿って排出される前記台紙を前記操作レバーから遠ざける方向に押し当て可能であることを特徴とする請求項１記載の携帯式ラベル貼付け機。
【請求項３】
前記台紙排出ガイド板は、前記台紙排出方向制御片の弧状押当て面に沿った前記台紙を案内可能な弧状ガイド面を有することを特徴とする請求項１または２記載の携帯式ラベル貼付け機。
【請求項４】
操作者が握持可能なグリップを形成するとともに、このグリップに対して回動操作する操作レバーを取り付けた左右一対の側板と、
帯状の台紙に複数枚のラベル片を仮着したラベルをロール状に巻いた状態でこの側板に保持する保持部と、
この保持部から繰り出される帯状の前記ラベルを移送する移送部と、
この移送部による前記ラベルの移送にともなって前記台紙から前記ラベル片を剥離する剥離部と、を有し、
この剥離部において前記台紙から剥離された前記ラベル片を被貼付け体に貼り付け可能とするとともに、この剥離部において前記ラベル片を剥離した前記台紙を前記側板の外部に排出する携帯式ラベル貼付け機であって、
前記台紙を前記側板の外方に案内可能な台紙排出ガイド板を前記移送部の下流側に設けているとともに、
この台紙排出ガイド板に沿って前記側板から排出されてくる前記台紙を前記操作レバーから遠ざけるように、前記操作レバーに台紙排出方向制御片を形成し、
前記台紙排出ガイド板は、前記台紙の左右にその一対を設けているとともに、
前記台紙排出方向制御片は、前記台紙排出ガイド板の間に位置しているとともに、前記台紙排出ガイド板より前記台紙に接近可能な方向に突出していることを特徴とする携帯式ラベル貼付け機。
【請求項５】
操作者が握持可能なグリップを形成するとともに、このグリップに対して回動操作する操作レバーを取り付けた左右一対の側板と、
帯状の台紙に複数枚のラベル片を仮着したラベルをロール状に巻いた状態でこの側板に保持する保持部と、
この保持部から繰り出される帯状の前記ラベルを移送する移送部と、
この移送部による前記ラベルの移送にともなって前記台紙から前記ラベル片を剥離する剥離部と、を有し、
この剥離部において前記台紙から剥離された前記ラベル片を被貼付け体に貼り付け可能とするとともに、この剥離部において前記ラベル片を剥離した前記台紙を前記側板の外部に排出する携帯式ラベル貼付け機の台紙排出方向制御方法であって、
前記台紙を前記側板の外方に案内可能な台紙排出ガイド板を前記移送部の下流側に設け、
この台紙排出ガイド板の近傍に位置して、前記操作レバーが前記台紙に接近する位置に弧状押当て面を有する台紙排出方向制御片を形成し、
前記操作レバーの握持操作につづく解放操作により、前記台紙排出ガイド板に沿って前記側板から排出されつつある前記台紙をこの台紙排出方向制御片により前記操作レバーから遠ざける方向に押し当てることを特徴とする携帯式ラベル貼付け機の台紙排出方向制御方法。
【発明の詳細な説明】
【技術分野】
【０００１】
本発明は携帯式ラベル貼付け機およびその台紙排出方向制御方法にかかるもので、とくに帯状のラベルを装填して移送し、所望の被貼付け体に貼付け操作を行うための携帯式ラベル貼付け機およびその台紙排出方向制御方法に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機１の一例を図３および図４にもとづき概説する。
図３は、従来の携帯式ラベル貼付け機１の側面図であって、携帯式ラベル貼付け機１は、左右（紙面表裏）一対の側板２と、ラベル３の保持部４と、操作レバー５と、移送部６と、印字部７と、剥離部８と、貼付け部９と、を有する。
【０００３】
左右一対の側板２は、操作者が握持可能なグリップ１０を一体に形成するとともに、このグリップ１０に対して回動軸１１のまわりに操作レバー５を回動操作可能としている。
なお、操作レバー５とグリップ１０との間には、任意の付勢部材、たとえばコイルスプリング１２を設けて、操作レバー５をグリップ１０に対して、図３に示すような常時（操作レバー解放時）離反状態に付勢可能としている。操作者は、コイルスプリング１２の付勢力に抗してグリップ１０および操作レバー５を握持して携帯式ラベル貼付け機１内の移送部６、印字部７および剥離部８を駆動する。
【０００４】
ラベル３は、帯状の台紙１３に複数枚のラベル片１４を仮着したもので、これをロール状に巻いて保持部４に保持するとともに、操作レバー５の操作にともなって、移送部６により印字部７方向にラベル３を帯状に繰り出し、剥離部８で台紙１３からラベル片１４を剥離し、貼付け部９によりラベル片１４を被貼付け体（図示せず）に貼り付け可能とする。
【０００５】
保持部４は、左右一対の側板２の上面に左右（紙面表裏）一対の保持板１５を取り付けてあり、いずれか一方の保持板１５をいずれかの側板２に対して回動ないし開放可能として、左右一対の保持板１５の間にロール状のラベル３を保持可能としてある。
【０００６】
移送部６は、ローラー軸１６のまわりに回転する移送ローラー１７を有し、操作レバー５をグリップ１０とともに握持することにより、リンク機構（図示せず）を介してローラー軸１６のまわりに移送ローラー１７を所定ピッチだけ回転してラベル３を移送可能とする。
【０００７】
印字部７は、操作レバー５における二股状のヨーク部５Ａの先端部側に取り付けた印字器１８と、ローラー軸１６のまわりに回動開放可能としたプラテン１９と、インキローラー２０と、を有し、インキローラー２０により印字器１８の活字にインキを塗布し、プラテン１９の上面に移送されてきたラベル３（ラベル片１４）に所定の情報を印字する。
【０００８】
剥離部８は、プラテン１９の下流側に設けた剥離ピン２１を有し、移送部６によるラベル３の移送にともなって剥離ピン２１において台紙１３のみを後方に転向させ、ラベル片１４を台紙１３から剥離する。
剥離部８においてラベル片１４を剥離された台紙１３は、移送ローラー１７に再度係合したのち、移送部６の下流側に設けているとともに台紙１３を側板２の外方に案内可能な台紙排出ガイド板２２を経て、側板２の外部に排出される。台紙排出ガイド板２２は、とくにその先端部側を弧状ガイド面２２Ａとして、側板２の下方側に台紙１３を案内可能とし、できるだけ操作レバー５の操作の邪魔にならないようにしている。
【０００９】
なお、左右一対の側板２の下方部には、開閉軸２３のまわりに下蓋２４を回動開放可能に設け、ラベル３の携帯式ラベル貼付け機１内への装填を可能とする。
図４は、下蓋２４の部分の要部拡大側面図であって、下蓋２４の先端部（開閉軸２３の反対側の端部）には、開閉用つまみ２５を形成するとともに、台紙排出ガイド板２２に対向して台紙ガイド片２６および鋸刃状の先端を有する台紙切断片２７を形成してある。
移送ローラー１７に送られて離脱してくる台紙１３は、台紙排出ガイド板２２と台紙ガイド片２６との間を案内され、側板２の外部に排出され、必要に応じて台紙切断片２７の部分で切断される。
【００１０】
貼付け部９は、側板２の先端下方部に位置する貼付けローラー２８を有し、剥離部８により剥離したラベル３（ラベル片１４）を被貼付け体に貼り付け可能とする。この貼付けローラー２８は、開閉軸２３のまわりに回転可能である。
【００１１】
こうした構成の携帯式ラベル貼付け機１において、とくに図４に示すように、台紙排出ガイド板２２の弧状ガイド面２２Ａは、移送ローラー１７から離脱してきた台紙１３を側板２の外方かつ図４中、下方に誘導するように所定のカーブを有する弧状にこれを形成しているが、台紙１３自体が所定の剛性を有しているために、とくにその先端部が矢印のような排出方向にまず排出され、操作レバー５を操作している操作者の人差し指付近に位置してしまうことになる。
したがって、台紙１３を台紙切断片２７において切ったあとのラベル片１４数枚分の長さの台紙１３が人差し指にあたって操作の邪魔になるという問題がある。とくに図３のようなラベル３の保持部４における巻き状態（ロール状のラベル３においてラベル片１４が表側に位置する、いわゆる表巻きの状態）では、排出された台紙１３が人差し指方向にカールして人差し指に絡みやすく、さらに操作の邪魔になるという問題がある。
【００１２】
このような問題を解決するためには、操作レバー５に指をかけた状態で台紙１３に接触しないような細長閉鎖状のサーベルの柄型として、台紙１３が人差し指に接触しないようにする方法もあるが、操作レバー５自体が重くなるという問題がある。
また、台紙排出ガイド板２２の弧状ガイド面２２Ａの弧の形状をより急角度に下方に曲げるように設計することによって台紙１３を下方に急激に折り曲げるようにすると、弧状ガイド面２２Ａにおける接触抵抗が大きくなって台紙１３が詰まる原因になるという問題がある。
また、排出してくる台紙１３に人差し指が当たらないように台紙排出ガイド板２２と操作レバー５との間の間隔を大きくすることも考えられるが、携帯式ラベル貼付け機１全体の大型化を避けることができないという問題がある。
要するに、台紙１３の排出にあたって、台紙排出ガイド板２２のみの形状ないしは配置状態のみでは、上述の問題を解消することが困難であるという問題がある。
【００１３】
なおまた、あらかじめ販売促進情報や広告情報などを印刷したラベル３を貼り付ける際には、印字部７を設けず、操作レバー５の操作のみで、ラベル３（ラベル片１４）を剥離して貼り付けることができるが、このように構成した携帯式ラベル貼付け機の場合であっても、台紙１３の排出については同様の問題がある。
【先行技術文献】
【特許文献】
【００１４】
【特許文献１】特開昭５７−５５８４４号公報
【発明の概要】
【発明が解決しようとする課題】
【００１５】
本発明は以上のような諸問題にかんがみなされたもので、側板内部から外部に排出されてくる台紙が操作者の指、特に人差し指に接触しないようにした携帯式ラベル貼付け機およびその台紙排出方向制御方法を提供することを課題とする。
【００１６】
また本発明は、排出されてくる台紙の排出方向を操作レバーから遠ざける方向とすることができる携帯式ラベル貼付け機およびその台紙排出方向制御方法を提供することを課題とする。
【００１７】
また本発明は、台紙の排出方向を変更可能としても台紙詰まりがないようにした携帯式ラベル貼付け機およびその台紙排出方向制御方法を提供することを課題とする。
【００１８】
また本発明は、全体の大型化を避けつつ台紙が操作レバーの操作にとって邪魔にならないようにした携帯式ラベル貼付け機およびその台紙排出方向制御方法を提供することを課題とする。
【課題を解決するための手段】
【００１９】
すなわち本発明は、操作レバーの一部を台紙排出ガイド板の方に延伸して、いわば「鍔」に相当する台紙排出方向制御片を形成することに着目したもので、第一の発明は、操作者が握持可能なグリップを形成するとともに、このグリップに対して回動操作する操作レバーを取り付けた左右一対の側板と、帯状の台紙に複数枚のラベル片を仮着したラベルをロール状に巻いた状態でこの側板に保持する保持部と、この保持部から繰り出される帯状の上記ラベルを移送する移送部と、この移送部による上記ラベルの移送にともなって上記台紙から上記ラベル片を剥離する剥離部と、を有し、この剥離部において上記台紙から剥離された上記ラベル片を被貼付け体に貼り付け可能とするとともに、この剥離部において上記ラベル片を剥離した上記台紙を上記側板の外部に排出する携帯式ラベル貼付け機であって、上記台紙を上記側板の外方に案内可能な台紙排出ガイド板を上記移送部の下流側に設けているとともに、この台紙排出ガイド板に沿って上記側板から排出されてくる上記台紙を上記操作レバーから遠ざけるように、上記操作レバーに台紙排出方向制御片を形成したことを特徴とする携帯式ラベル貼付け機である。
【００２０】
第二の発明は、操作者が握持可能なグリップを形成するとともに、このグリップに対して回動操作する操作レバーを取り付けた左右一対の側板と、帯状の台紙に複数枚のラベル片を仮着したラベルをロール状に巻いた状態でこの側板に保持する保持部と、この保持部から繰り出される帯状の上記ラベルを移送する移送部と、この移送部による上記ラベルの移送にともなって上記台紙から上記ラベル片を剥離する剥離部と、を有し、この剥離部において上記台紙から剥離された上記ラベル片を被貼付け体に貼り付け可能とするとともに、この剥離部において上記ラベル片を剥離した上記台紙を上記側板の外部に排出する携帯式ラベル貼付け機の台紙排出方向制御方法であって、上記台紙を上記側板の外方に案内可能な台紙排出ガイド板を上記移送部の下流側に設け、この台紙排出ガイド板の近傍に位置して、上記操作レバーに台紙排出方向制御片を形成し、上記操作レバーの握持操作につづく解放操作により、上記台紙排出ガイド板に沿って上記側板から排出されつつある上記台紙をこの台紙排出方向制御片により上記操作レバーから遠ざける方向に押し当てることを特徴とする携帯式ラベル貼付け機の台紙排出方向制御方法である。
【００２１】
上記台紙排出方向制御片は、上記台紙排出ガイド板に沿って排出される上記台紙を上記操作レバーから遠ざける方向に押し当て可能であることができる。
【００２２】
上記台紙排出方向制御片は、上記台紙排出ガイド板に形成して上記台紙を案内可能な弧状ガイド面に沿った弧状押当て面を有することができる。
【００２３】
上記台紙排出ガイド板は、上記台紙の左右にその一対を設けているとともに、上記台紙排出方向制御片は、上記台紙排出ガイド板の間に位置しているとともに、上記台紙排出ガイド板より上記台紙に接近可能な方向に突出していることができる。
【発明の効果】
【００２４】
本発明による携帯式ラベル貼付け機およびその台紙排出方向制御方法においては、台紙を側板の外方に案内可能な台紙排出ガイド板に沿って側板から排出されてくる台紙を操作レバーから遠ざけるように、操作レバーに台紙排出方向制御片を形成したので、側板の外部に排出されてくる台紙を操作者の人差し指などに当てることなく、すなわち、操作の邪魔になることなく排出することができる。
【００２５】
とくに第一の発明の携帯式ラベル貼付け機によれば、固定的な台紙排出ガイド板に加えて、可動的な操作レバーに台紙排出方向制御片を形成したので、台紙を移送部の下流側における台紙排出ガイド板の部分で詰まらせることなく、操作の邪魔にならないように台紙を側板の外部に排出可能である。
【００２６】
とくに第二の発明の携帯式ラベル貼付け機の台紙排出方向制御方法によれば、操作レバーの握持操作につづく解放操作により、台紙排出ガイド板に沿って側板から排出されつつある台紙を台紙排出方向制御片により操作レバーから遠ざける方向に押し当てるようにしたので、台紙排出ガイド板における台紙にかかる接触抵抗を上まわって機械的に台紙を押し付け、ないし押し遣ることができ、台紙の排出方向を確実に、任意かつ好ましい方向に制御することができる。
【図面の簡単な説明】
【００２７】
【図１】本発明の実施例による携帯式ラベル貼付け機３０の要部拡大側面図である。
【図２】同、図１のＩＩ線矢視概略図である。
【図３】従来の携帯式ラベル貼付け機１の側面図である。
【図４】同、下蓋２４の部分の要部拡大側面図である。
【発明を実施するための形態】
【００２８】
本発明は、台紙を側板の外方に案内可能な台紙排出ガイド板と、操作レバーに形成した台紙排出方向制御片と、の協働作用により、台紙を操作レバーから遠ざけるようにその排出方向を変更可能としたので、排出されてくる台紙が操作の邪魔になることがないような携帯式ラベル貼付け機およびその台紙排出方向制御方法を実現した。
【実施例】
【００２９】
つぎに本発明の実施例による携帯式ラベル貼付け機３０およびその台紙排出方向制御方法を図１および図２にもとづき説明する。ただし、図３および図４と同様の部分には同一符号を付し、その詳述はこれを省略する。
図１は、携帯式ラベル貼付け機３０の要部拡大側面図であって、携帯式ラベル貼付け機３０は、前記操作レバー５の前記台紙排出ガイド板２２に対向する部分以外は、前述の携帯式ラベル印字貼付け機１（図３）と同様の構成を有するが、操作レバー５に台紙排出方向制御片３１を形成する構成が異なっている。
【００３０】
すなわち、操作レバー５の回動軸１１から下方（台紙排出ガイド板２２に向かう方向）に上記台紙排出方向制御片３１を突出形成している。
台紙排出方向制御片３１は、移送部６の下流側に設けている台紙排出ガイド板２２に沿って側板２から排出されてくる台紙１３を操作レバー５から遠ざけるようにその形状、長さおよび位置を選択する。
具体的には、台紙排出方向制御片３１は、台紙排出ガイド板２２に形成して台紙１３を案内可能な弧状ガイド面２２Ａに沿ったほぼ同様の弧状を呈する弧状押当て面３１Ａを有するとともに、この弧状押当て面３１Ａが弧状ガイド面２２Ａの先端２２Ｂに対向するようにしている。
さらに詳しくは、操作レバー５を握持した状態（図１中、仮想線）から握持を解放した状態（図１中、実線）までの間において、弧状押当て面３１Ａは、弧状ガイド面２２Ａの先端２２Ｂに向かっており、この先端２２Ｂから操作レバー５の方向に向かおうとする台紙１３が衝突するような形状、長さおよび位置にこれを設けている。
したがって、この台紙排出方向制御片３１により、台紙排出ガイド板２２に沿って排出される台紙１３を操作レバー５から遠ざける方向に押し当て可能である。
【００３１】
図２は、図１のＩＩ線矢視概略図であって、台紙排出ガイド板２２は、台紙１３に接触するようにその左右にその一対を設けており、台紙排出方向制御片３１は、台紙排出ガイド板２２の間に位置しているとともに、台紙排出ガイド板２２より台紙１３に接近可能な方向に突出している。
【００３２】
こうした構成の携帯式ラベル貼付け機３０において、操作レバー５の握持操作により印字器１８がプラテン１９上のラベル３（ラベル片１４）に印字を行うとともに、握持操作につづく解放操作により、移送ローラー１７が図１中、反時計方向に回動し、一ピッチ分のラベル片１４および台紙１３を移送する。
【００３３】
この移送にともなって排出されてくる台紙１３を台紙排出ガイド板２２の弧状ガイド面２２Ａがその先端２２Ｂから側板２の外方に案内可能とするとともに、操作レバー５の解放操作にともなって台紙排出方向制御片３１が台紙１３に接近する位置に弧状の軌跡上を移動し、先端２２Ｂから外方に排出されつつある台紙１３を台紙排出方向制御片３１の台紙押当て面３１Ａにより操作レバー５から遠ざける方向に押し当てる。この押し当てる力は、前記コイルスプリング１２の付勢力によるもので、この押当て作用により台紙１３の排出方向を確実に下方に制御することができる。
【００３４】
したがって、台紙排出ガイド板２２から側板２の外方に向かって、さらに操作レバー５の根元部分に向かって排出されつつあるラベル片１４は、操作レバー５の解放操作によるその原位置への戻り終わるときに台紙排出方向制御片３１の弧状押当て面３１Ａにより図１中、下方（操作レバー５から遠ざかる方向）に押し遣られることになり、操作レバー５の解放にともなうその原位置への復帰の際に台紙排出方向制御片３１が台紙１３の排出方向制御というその最大機能を果たすことができる。
すなわち、静的な台紙排出ガイド板２２による台紙１３の案内に加えて、動的な台紙排出方向制御片３１により台紙１３を側板２の外方かつ操作レバー５を操作している操作者の指（人差し指）に確実に当たらないようにして、排出された台紙１３が操作の邪魔になることを回避可能である。
【００３５】
かくして、操作レバー５の台紙排出ガイド板２２の近傍への台紙排出方向制御片３１の突出形成という簡単な構成で、台紙１３の排出方向を容易かつ確実に制御することができる。
【符号の説明】
【００３６】
１  携帯式ラベル貼付け機（従来、図３）
２  左右一対の側板
３  ラベル
４  保持部
５  操作レバー
５Ａ  操作レバー５のヨーク部
６  移送部
７  印字部
８  剥離部
９  貼付け部
１０  グリップ
１１  回動軸
１２  コイルスプリング
１３  台紙
１４  ラベル片
１５  保持板
１６  ローラー軸
１７  移送ローラー
１８  印字器
１９  プラテン
２０  インキローラー
２１  剥離ピン
２２  台紙排出ガイド板
２２Ａ  台紙排出ガイド板２２の弧状ガイド面（図２、図４）
２２Ｂ  弧状ガイド面２２Ａの先端（図２）
２３  開閉軸
２４  下蓋
２５  開閉用つまみ
２６  台紙ガイド片
２７  台紙切断片
２８  貼付けローラー
３０  携帯式ラベル貼付け機（実施例、図１）
３１  操作レバー５に形成した台紙排出方向制御片
３１Ａ  台紙排出方向制御片３１の弧状押当て面
【図１】
0005904699.tif 000002
【図２】
0005904699.tif 000003
【図３】
0005904699.tif 000004
【図４】
0005904699.tif 000005